(57)【特許請求の範囲】
【請求項１】
往復運動をする往復駆動部と、正逆回転可能に設けられた第１回転部及び第２回転部とを備え、前記往復駆動部に連動して前記第１回転部が正逆回転をし、且つ前記第１回転部に連動して前記第２回転部が正逆回転をする装飾用駆動装置において、
前記往復駆動部と前記第１回転部とを連結する第１リンク体と、前記第１回転部を一方の回転方向に付勢する第１弾性体と、前記第１回転部と前記第２回転部とを連結する第２リンク体と、前記第２回転部を一方の回転方向に付勢する第２弾性体とを備え、
前記往復駆動部及び前記第１リンク体、又は前記第１回転部及び前記第１リンク体は、それぞれに設けられた第１フック及び第１係止部を互いに係止して連結し、
前記第１回転部及び前記第２リンク体、又は前記第２回転部及び前記第２リンク体は、それぞれに設けられた第２フック及び第２係止部を互いに係止して連結し、
前記第１弾性体及び前記第２弾性体の双方の付勢力により、前記第１回転部が一方の回転方向に付勢されるとともに、前記第２回転部が他方の回転方向に付勢され、
前記往復駆動部の往復運動に伴い前記第１フック及び前記第１係止部が反係止方向に移動しようとする際は、前記第１弾性体の付勢力にて前記第１フック及び前記第１係止部の係止状態が維持されるようにし、
前記第１回転部の回転に伴い前記第２フック及び前記第２係止部が反係止方向に移動しようとする際は、前記第２弾性体の付勢力にて前記第２フック及び前記第２係止部の係止状態が維持されるようにしたことを特徴とする装飾用駆動装置。
【発明の詳細な説明】
【技術分野】
【０００１】
本発明は、往復運動をする往復駆動部と、正逆回転可能に設けられた回転部とを備え、往復駆動部に連動して回転部が正逆回転をする装飾用駆動装置に関する。
【背景技術】
【０００２】
壁掛け時計や置き時計等は、装飾性に優れたものが好まれる傾向にあり、この種の時計としては、所定の時間になると報知音を発生するとともに飾りを駆動するように構成されたものが知られている。特許文献１には、この種の装置が開示されている。
【特許文献１】実開平２−１１０８９２号広報
【発明の開示】
【発明が解決しようとする課題】
【０００３】
さて近年、時計のデザインはますます多様化される傾向にあり、前述したように飾りを駆動する構成については、面白い動作が得られるとともに容易に組立てられることが要求される。例えば、往復駆動部に連動して回転部が正逆回転をするように構成する場合は、往復運動部と回転部とを連結するリンク体が設けられる。この場合、往復運動部、回転部、及びリンク体にそれぞれフック及び係止部を設け、フック及び係止部を互いに係止してそれらを連結すれば、シャフト等を用いてそれらを固定的に軸支せずともよいので、組立てが非常に容易になるという利点がある。しかし、往復駆動部の往復運動に伴いフック及び係止部が反係止方向に移動しようとする際は、それらの係止状態が解除され、リンク体が外脱してしまう虞があった。ここで、反係止方向とは、フックと係止部との当接圧が無くなる方向のことをいう。とりわけ、孔型の係止部にフックを引っ掛ける場合は、部品の寸法精度や組立て精度の許容性を向上すべく、それらの間には若干の遊びが設定される。このため、往復駆動部が反転する際には、回転部に駆動力が伝達され得ないフリーの状態となる瞬間が生じることとなり、これがぎこちない動きの原因となる。
【０００４】
本発明は、かかる事情に鑑みてなされたものであり、その目的は、面白い動作が得られるとともに容易に組立てられる装飾用駆動装置を提供することである。
【課題を解決するための手段】
【０００５】
本願第１請求項に記載した発明は、往復運動をする往復駆動部と、正逆回転可能に設けられた第１回転部及び第２回転部とを備え、前記往復駆動部に連動して前記第１回転部が正逆回転をし、且つ前記第１回転部に連動して前記第２回転部が正逆回転をする装飾用駆動装置において、前記往復駆動部と前記第１回転部とを連結する第１リンク体と、前記第１回転部を一方の回転方向に付勢する第１弾性体と、前記第１回転部と前記第２回転部とを連結する第２リンク体と、前記第２回転部を一方の回転方向に付勢する第２弾性体とを備え、前記往復駆動部及び前記第１リンク体、又は前記第１回転部及び前記第１リンク体は、それぞれに設けられた第１フック及び第１係止部を互いに係止して連結し、前記第１回転部及び前記第２リンク体、又は前記第２回転部及び前記第２リンク体は、それぞれに設けられた第２フック及び第２係止部を互いに係止して連結し、前記第１弾性体及び前記第２弾性体の双方の付勢力により、前記第１回転部が一方の回転方向に付勢されるとともに、前記第２回転部が他方の回転方向に付勢され、前記往復駆動部の往復運動に伴い前記第１フック及び前記第１係止部が反係止方向に移動しようとする際は、前記第１弾性体の付勢力にて前記第１フック及び前記第１係止部の係止状態が維持されるようにし、前記第１回転部の回転に伴い前記第２フック及び前記第２係止部が反係止方向に移動しようとする際は、前記第２弾性体の付勢力にて前記第２フック及び前記第２係止部の係止状態が維持されるようにした構成の装飾用駆動装置である。
【発明の効果】
【０００７】
本発明によれば、面白い動作が得られるとともに容易に組立てられる装飾用駆動装置を得ることができる。
【発明を実施するための最良の形態】
【０００８】
以下に、本発明の実施例を図面に基づいて詳細に説明する。図１に示す時計装置１は、装飾が施されたパネル２０に時刻表示部３０を設けてなるものである。パネル２０には、複数の装飾体３１２，３２２が設けられており、所定の時間になると、それらが駆動する構成となっている。
【０００９】
図２乃至図４は、本例の装飾用駆動装置１００を示す説明図である。図２及び図３は、装飾用駆動装置１００を示す背面透視図である。図４は、後述する第１リンク体４１０及び第２リンク体４２０を示す説明図である。
【００１０】
これらの図に示すように、本例の装飾用駆動装置１００は、往復運動をする往復駆動部２００と、正逆回転可能に設けられた第１回転部３１０及び複数の第２回転部３２０とを備え、往復駆動部２００に連動して第１回転部３１０が正逆回転をし、且つ第１回転部３１０に連動して複数の第２回転部３２０が正逆回転をするように構成されている。
【００１１】
往復駆動部２００、第１回転部３１０、及び複数の第２回転部３２０は、パネル２０の裏側に配置された支持体であるプレート１１０にそれぞれ枢支されている。図中の２０１は往復駆動部２００の支軸を示し、３１１は第１回転部３１０の支軸を示し、３２１は第２回転部３２０の支軸を示している。
【００１２】
往復駆動部２００は、カム体２１０に係合された係合部２０２を有し、カム体２１０が回転すると支軸２０１を中心に正逆回転をし、往復運動をする。カム体２１０は、オルゴール６００のドラム６１０と同期回転するように設けられており、オルゴールのドラム６１０は、モータ７００にて駆動される。
【００１３】
各装飾体３１２，３２２は、パネルの要所に設けられた長孔部２１を介し、第１回転部３１０、及び複数の第２回転部３２０にそれぞれ支持されている。所定の時間になると、オルゴール６００が鳴るとともに、各回転部３１０，３２０の正逆回転に応じて各装飾体３１２，３２２がそれぞれ揺れ動く構成となっている。
【００１４】
更に、本例の装飾用駆動装置１００は、往復駆動部２００と第１回転部３１０とを連結する第１リンク体４１０と、第１回転部３１０を一方の回転方向に付勢する第１弾性体５１０と、第１回転部３１０と複数の第２回転部３２０とを連結する複数の第２リンク体４２０と、複数の第２回転部３２０を一方の回転方向に付勢する第２弾性体５２０とを備えている。第１弾性体５１０は、一方の端部をプレート１１０に支持するとともに、他方の端部を第１回転部３１０に支持したコイルばねである。第２弾性体５２０は、一方の端部をプレート１１０に支持するとともに、他方の端部を第２回転部３２０に支持したコイルばねである。
【００１５】
往復駆動部２００及び第１リンク体４１０、及び第１回転部３１０及び第１リンク体４１０は、それぞれに設けられた第１フックＡ１及び孔型の第１係止部Ｂ１を互いに係止して連結されている。
【００１６】
第１回転部３１０及び第２リンク体４２０、及び第２回転部３２０及び第２リンク体４２０は、それぞれに設けられた第２フックＡ２及び孔型の第２係止部Ｂ２を互いに係止して連結されている。
【００１７】
また、第１弾性体５１０及び第２弾性体５２０の双方の付勢力により、第１回転部３１０が一方の回転方向に付勢されるとともに、第２回転部３２０が他方の回転方向に付勢される構成となっている。図２は、往復駆動部２００が往動して第１回転部３１０が一方の回転方向の限界まで回転するとともに、第２回転部３２０が他方の回転方向に限界まで回転した状態を示している。図３は、往復駆動部２００が復動して第１回転部３１０が他方の回転方向の限界まで回転するとともに、第２回転部３２０が一方の回転方向の限界まで回転した状態を示している。仮に、第１リンク体４１０を取り外すと、第１回転部３１０及び第２回転部３２０の姿勢は、第１弾性体５１０及び第２弾性体５２０の双方の付勢力によって図２の状態となる。
【００１８】
従って、往復駆動部２００の往復運動に伴い第１フックＡ１及び第１係止部Ｂ１が反係止方向に移動しようとする際は、第１弾性体５１０の付勢力にて第１フックＡ１及び第１係止部Ｂ１の係止状態が維持される。
【００１９】
更に、第１回転部３１０の回転に伴い第２フックＡ２及び第２係止部Ｂ２が反係止方向に移動しようとする際は、第２弾性体５２０の付勢力にて第２フックＡ２及び第２係止部Ｂ２の係止状態が維持される。
【００２０】
このような構成によると、面白い動作が得られるとともに容易に組立てられる装飾用駆動装置を得ることができる。すなわち、各フックＡ１，Ａ２及び各係止部Ｂ１，Ｂ２を互いに係止して往復駆動部２００、第１回転部３１０、複数の第２回転部３２０、第１リンク体４１０、及び複数の第２リンク体４２０を連結すれば、シャフト等を用いてそれらを固定的に軸支せずともよいので、組立てが非常に容易になるという利点がある。また、往復駆動部２００の往復運動に伴い各フックＡ１，Ａ２及び各係止部Ｂ１，Ｂ２が反係止方向に移動しようとする際は、第１弾性体５１０及び第２弾性体５２０の付勢力にてそれらの係止状態が維持されるので、第１リンク体４１０や第２リンク体４２０が外脱してしまう心配はない。とりわけ、孔型の係止部Ｂ１，Ｂ２にフックＡ１，Ａ２を引っ掛ける場合は、部品の寸法精度や組立て精度の許容性を向上すべく、それらの間には若干の遊びが設定される。仮に、第１弾性体５１０及び第２弾性体５２０が無い場合は、往復駆動部２００が反転する際には、第１回転部３１０、及び複数の第２回転部３２０に駆動力が伝達され得ないフリーの状態となる瞬間が生じることとなり、これがぎこちない動きの原因となるが、本例ではそのような不都合を回避することができる。
【００２１】
以上説明したように、本例の装飾用駆動装置は、より面白い動作が得られるとともに容易に組立てられるものであり、時計を装飾する装置として好適に利用することができる。尚、本例における各部の構成は、特許請求の範囲に記載した技術的範囲において適宜に設計変更が可能であり、図例説明したものに限定されないことは勿論である。
【産業上の利用可能性】
【００２２】
本発明の装飾用駆動装置は、時計を装飾する装置として好適に利用することが可能である。
【図面の簡単な説明】
【００２３】
【図１】本発明の実施例に係り、装飾用駆動装置を用いてなる時計の正面図である。
【図２】本発明の実施例に係り、装飾用駆動装置を示す背面透視図である。
【図３】本発明の実施例に係り、装飾用駆動装置を示す背面透視図である。
【図４】本発明の実施例に係り、第１リンク体及び第２リンク体を示す説明図である。
【符号の説明】
【００２４】
１      時計装置
２０      パネル
２１      長孔部
３０      時刻表示部
１００      装飾用駆動装置
１１０      プレート
２００      往復駆動部
２０１      支軸
２０２      係合部
２１０      カム体
３１０      第１回転部
３１１      支軸
３１２      装飾体
３２０      第２回転部
３２１      支軸
３２２      装飾体
４１０      第１リンク体
４２０      第２リンク体
５１０      第１弾性体
５２０      第２弾性体
６００      オルゴール
６１０      ドラム
７００      モータ
Ａ１      第１フック
Ａ２      第２フック
Ｂ１      第１係止部
Ｂ２      第２係止部
【図１】
0004592091.tif 000002
【図２】
0004592091.tif 000003
【図３】
0004592091.tif 000004
【図４】
0004592091.tif 000005